(57)【要約】【課題】建材用ユニットパネル同士を容易に且つ強固に連結できるようにした建材用ユニットパネル連結工法並びに、建材用パネル連結体を提供するものである。【解決手段】第１の建材用ユニットパネル２には、螺子孔６が形成された螺子形成部５を設け、前記第２の建材用ユニットパネル３には挿通孔９を形成し、第１の建材用ユニットパネル２と第２の建材用ユニットパネル３とを並設した状態でボルト４を前記挿通孔９を挿通した後、前記螺子孔６に螺子止めすることにより、第１の建材用ユニットパネル２と第２の建材用ユニットパネル３とを連結するものである。【選択図】    図１
2004176359.tif 000002
【特許請求の範囲】
【請求項１】
第１の建材用ユニットパネルと第２の建材用ユニットパネルとを並設して連結する建材用パネル連結工法であって、
前記第１の建材用ユニットパネルには、螺子孔が形成された螺子孔形成部を設け、前記第２の建材用ユニットパネルには挿通孔を形成し、第１の建材用ユニットパネルと第２の建材用ユニットパネルとを並設した状態でボルトを前記挿通孔を挿通した後、前記螺子孔に螺子止めすることにより、第１の建材用ユニットパネルと第２の建材用ユニットパネルとを連結することを特徴とする建材用パネル連結工法。
【請求項２】
前記螺子孔形成部は、周壁に螺子孔が形成されたパイプによって形成し、前記第１の建材用ユニットパネルには、このパイプが収容されるパイプ収容孔を前記挿通孔と連通させて設けたことを特徴とする請求項１に記載の建材用パネル連結工法。
【請求項３】
前記第２の建材用ユニットパネルは、複数枚設けられたことを特徴とする請求項１又は請求項２に記載の建材用パネル連結工法。
【請求項４】
前記建材用ユニットパネルは、耐火パネルであることを特徴とする請求項１乃至請求項３の何れか１項に記載の建材用パネル連結工法。
【請求項５】
第１の建材用ユニットパネルと第２の建材用ユニットパネルとが並設して連結された建材用パネル連結体であって、
前記第１の建材用ユニットパネルに設けられ、螺子孔が形成された螺子孔形成部と、前記第２の建材用ユニットパネルに形成された挿通孔と、前記挿通孔を挿通し前記螺子孔に螺子止めされることにより前記第１の建材用ユニットパネルと第２の建材用ユニットパネルとを並設した状態で連結するボルトとを備えたことを特徴とする建材用パネル連結体。
【請求項６】
前記螺子孔形成部は、周壁に螺子孔が形成されたパイプによって形成し、前記第１の建材用ユニットパネルには、このパイプが収容されるパイプ収容孔を前記挿通孔と連通させて設けたことを特徴とする請求項５に記載の建材用パネル連結体。
【請求項７】
前記第２の建材用ユニットパネルは、複数枚設けられたことを特徴とする請求項５又は請求項６に記載に建材用パネル連結体。
【請求項８】
前記建材用ユニットパネルは、耐火パネルであることを特徴とする請求項５乃至請求項７の何れか１項に記載の建材用パネル連結体。
【発明の詳細な説明】
【０００１】
【発明の属する技術分野】
本発明は、建材用ユニットパネル同士を並設して連結する建材用パネル連結工法並びに、建材用ユニットパネル同士を並設して連結した建材用パネル連結体に関する。
【０００２】
【従来の技術】
従来、建造物の外側に外壁パネルを取付ける場合、建造物の外側に作業者が手作業によって建材用ユニットパネルを一枚づつ取付けていた。このため、建材用ユニットパネルの取付作業において、効率が悪く、多大な労力を要し、多大な手間とコストを要する。又、複数枚の建材用ユニットパネルを地上で一組にまとめて連結してパネルの連結体を組立てた後、このパネルの連結体を、外壁を形成するための建造物の所定の位置まで運んで取付けることが想定される。そこで、図８に示すように、建材用ユニットパネルを接合するための建材パネルの接合具に関する発明が提案されている（例えば、特許文献１参照）。
【０００３】
【特許文献１】
特開平８−１３６４８号公報
【０００４】
【発明が解決しようとする課題】
しかし、図８に示すように、従来技術の建材パネルの接合具１００においては、一方の建材用ユニットパネル１０１に係止片１０２を形成し、他方の建材用ユニットパネル１０３に係合孔１０４を形成し、係止片１０２を係合孔１０４に係止することにより、一方の建材用ユニットパネル１０１と他方の建材用ユニットパネル１０３とを接合するものであって、係止片１０２に建材用ユニットパネル１０１の全荷重が加わるため、係止片１０２が損傷し易く、建材用ユニットパネル１０１、１０３同士の接合を強固に実施できないという問題があった。
【０００５】
そこで、本発明は、上記実情に鑑みてなされたもので、建材用ユニットパネル同士を容易に且つ強固に連結できるようにした建材用ユニットパネル連結工法並びに、建材用パネル連結体を提供するものである。
【０００６】
【課題を解決するための手段】
請求項１に記載の発明は、第１の建材用ユニットパネルと第２の建材用ユニットパネルとを並設して連結する建材用パネル連結工法であって、
前記第１の建材用ユニットパネルには、螺子孔が形成された螺子孔形成部を設け、前記第２の建材用ユニットパネルには挿通孔を形成し、第１の建材用ユニットパネルと第２の建材用ユニットパネルとを並設した状態でボルトを前記挿通孔を挿通した後、前記螺子孔に螺子止めすることにより、第１の建材用ユニットパネルと第２の建材用ユニットパネルとを連結することを特徴とするものである。
【０００７】
請求項２に記載の発明は、請求項１に記載の建材用パネル連結工法において、螺子孔形成部は、周壁に螺子孔が形成されたパイプによって形成し、前記第１建材用ユニットパネルには、このパイプが収容されるパイプ収容孔を前記挿通孔と連通させて設けたことを特徴とするものである。
【０００８】
請求項３に記載の発明は、請求項１に記載の建材用パネル連結工法において、第２の建材用ユニットパネルが複数枚設けられたことを特徴とするものである。
【０００９】
請求項４に記載の発明は、請求項１乃至請求項３の何れか１項に記載の建材用パネル連結工法において、建材用ユニットパネルが耐火パネルであることを特徴とするものである。
【００１０】
請求項５に記載の発明は、第１の建材用ユニットパネルと第２の建材用ユニットパネルとが並設して連結された建材用パネル連結体であって、
前記第１の建材用ユニットパネルに設けられ、螺子孔が形成された螺子孔形成部と、前記第２の建材用ユニットパネルに形成された挿通孔と、前記挿通孔を挿通し前記螺子孔に螺子止めされることにより前記第１の建材用ユニットパネルと第２の建材用ユニットパネルとを並設した状態で連結するボルトとを備えたことを特徴とするものである。
【００１１】
請求項６に記載の発明は、請求項５に記載の建材用パネル連結体において、螺子孔形成部は、周壁に螺子孔が形成されたパイプによって形成し、第１建材用ユニットパネルには、このパイプが収容されるパイプ収容孔を前記挿通孔と連通させて設けたことを特徴とするものである。
【００１２】
請求項７に記載の発明は、請求項５又は請求項６に記載に建材用パネル連結体において、第２の建材用ユニットパネルは、複数枚設けられたことを特徴とするものである。
【００１３】
請求項８に記載の発明は、請求項５乃至請求項７の何れか１項に記載の建材用パネル連結体において、建材用ユニットパネルが耐火パネルであることを特徴とするものである。
【００１４】
【発明の実施の形態】
図１乃至図７は本発明の実施形態であって、図１はパネル連結体の構成を示す斜視図、図２はパイプの一部を断面にしたパイプの側面図、図３は建材用ユニットパネルに補強部材を取付けた状態を示す建材用ユニットパネルの一部上面図、図４は建材用パネル連結体を吊り下げる状態を示す斜視図、図５は建材用ユニットパネルを鉄骨柱に取付けるべくこの鉄骨柱に接近させた状態を示す上面図、図６は建材用ユニットパネルを鉄骨柱に接触させた状態を示す上面図、図７は建材用ユニットパネルを鉄骨柱に取付けた状態を示す上面図である。
【００１５】
図１を参照し、建材用パネル連結体１について説明する。建材用パネル連結体１は、第１の建材用ユニットパネル２と第２の建材用ユニットパネル３と、これら第１、第２の建材用ユニットパネル２，３を連結するボルト４、４とを備える。前記第１，第２の建材用ユニットパネル２，３は、ＡＬＣ版のような単版や耐火パネルのようなパネルが該当する。この実施形態においては、１枚の第１の建材用ユニットパネル２と４枚の第２の建材用ユニットパネル３とを用いる。この実施形態においては、第１の建材用ユニットパネル２は横長状態の、いわゆる横張り状態で最下位に設けられ、第２の建材用ユニットパネル３も同様に横長状態の、いわゆる横張り状態で第１の建材用ユニットパネル２の上位に設けられて以下のように互いに連結されるものである。
【００１６】
第１の建材用ユニットパネル２には、螺子孔形成部５、５が設けられる。この螺子孔形成部５は、図２に示すように、周壁に螺子孔６が形成されたパイプによって構成される。このパイプは、図１に示すように、第１の建材用ユニットパネル２のパイプ収容孔７内に挿入される。このパイプ収容孔７は、第１の建材用ユニットパネル２の両側端面にそれぞれ開口し、この第１の建材用ユニットパネル２の長手方向に延設するように横孔として形成される。前記パイプは、前記螺子孔６が上向きとなる姿勢で前記パイプ収容孔７内に収容される。又、第１の建材用ユニットパネル２には、前記パイプ収容孔７内に収容されたパイプの螺子孔６に連通する２つの挿通孔８が前記パイプ収容孔７と直交する方向即ち、上下方向に形成される。
【００１７】
前記各第２の建材用ユニットパネル３には、上下方向の２つの挿通孔９，９が形成される。この第２の建材用ユニットパネル３が図１に示すように横張りの姿勢で上下方向に並設された状態で、各第２の建材用ユニットパネル３に形成された挿通孔９，９同士が互いに連通すると共に、当該挿通孔９は前記第１の建材用ユニットパネル２の挿通孔８にも連通する位置に形成される。
【００１８】
前記ボルト４は、前記第１、第２の建材用ユニットパネル２、３の挿通孔８，９を挿通できる太さであって、下部及び上部に螺子部１０ａ、１０ｂが形成され、上部には丸環部１１が設けられる。このボルト４の下部の螺子部１０ａは、前記挿通孔９，８を順次挿通した後に、前記螺子形成部５の螺子孔６に螺子止めされる。又、ボルト４の上部の螺子部１０ｂには座金付のナットＮが設けられる。ボルト４の下部の螺子部１０ａを螺子形成部５の螺子孔６に螺子止めし、ボルト４の上部の螺子部１０ｂに前記ナットＮを締付けることにより、第１、第２の建材用ユニットパネル２，３は、上下方向から挟まれた状態で強固に連結される。前記ボルト４の長さは、このボルト４によって連結するべき枚数の第２の建材用ユニットパネル３の縦方向の長さによって決定される。
【００１９】
又、前記第１、第２の建材用ユニットパネル２，３は、補強部材１２によって連結状態が補強される。この補強部材１２は、補強アングル１３と、取付金具１４と、螺子１５とから構成される。図３に示すように、補強アングル１３は、取付片１６と起立片１７とからなる断面がＬ字状の長尺に形成される。補強アングル１３は、第１の建材用ユニットパネル２から全ての第２の建材用ユニットパネル３に至る長さを有する。この補強アングル１３は、第１，第２の建材用ユニットパネル２，３の両側縁に沿って設けられる。又、前記取付金具１４は、断面がＺ字型に形成される。取付金具１４は各建材用ユニットパネル２，３毎に設けられる。図３に示すように、取付金具１４は、一端側が螺子１５によって第１、第２の建材用ユニットパネル２，３に取り付けられることにより、この取付金具１４の他端側で前記補強アングル１３を第１、第２建材用ユニットパネル２，３の表面に押し付けるようにして固定する。この補強アングル１３の固定によって、第１、第２の建材用ユニットパネル２，３の連結状態が補強される。
【００２０】
次に、第１、第２の建材用ユニットパネル２，３を連結して、パネル連結体１を組立てる作業について説明する。尚、第１の建材用ユニットパネル２のパイプ収容孔７内には、螺子孔６が形成されたパイプ５が既に収容されているとする。そして、図１に示すように、パネル組付用ベッド１８の上に、第１の建材用ユニットパネル２を載置する。この第１の建材用ユニトパネル２の隣に４枚の第２の建材用ユニットパネル３を順次並べる。この状態において、第１の建材用ユニットパネル２の挿通孔８と、４枚の第２の建材用ユニットパネル３の挿通孔９とは連通している。その後、４枚の第２の建材用ユニットパネル３の挿通孔９にボルト４を挿通し、更に、このボルト４を第１の建材用ユニットパネル２の挿通孔８を挿通した後、螺子孔形成部５の螺子孔６に螺子止めする。そして、作業者が、ナットＮを回転させて、第１、第２の建材用ユニットパネル２，３を強固に締め付けることにより、第１、第２の建材用ユニットパネル２，３を連結する。かくして、第１、第２の建材用ユニットパネル２，３を並設した状態の建材用パネル連結体１が組立てられる。
【００２１】
その後、図４に示すように、組付用ベッド１８を起立させ、ボルト４の丸環部１１に吊下具１９を引っ掛けると共に、この吊下具１９をクレーン（図示せず）で吊下げることにより、建材用パネル連結体１を所定の位置にまで運ぶ。クレーンで建材用パネル連結体１を吊り下げる場合、この建材用パネル連結体１の全荷重はボルト４の軸方向に加わり、パイプ収容孔７内に収容されているパイプにより受け止められる。特に、このパイプは、パイプ収容孔７内に収容されているため、このパイプに加わる前記荷重はこのパイプ収容孔７を介して第１の建材用ユニットパネル２によって支持されることができる。従って、前記荷重が大きな荷重であったとしても、当該荷重は第１の建材用ユニットパネル２によって支えることができる。又、この場合、建材用パネル連結体１には、撓ませようとする力（図４中、矢示Ａ方向）が作用するが、この力は、補強アングル１３の起立片１７が吸収するため、建材用パネル連結体１に損傷を与えない。
【００２２】
次に、図５乃至図７に基づき、連結状態の第１、第２の建材用ユニットパネル２，３を鉄骨柱２１に組付けることにより、建造物の外壁パネルを形成する場合について説明する。この場合、先ず、取付アングル２２を鉄骨柱２１に取付ける。この取付アングル２２は、鉄骨柱２１に固定される柱固定部２３と、前記建材用パネル連結体１を取付けるパネル固定部２４とからなる断面がＬ字状を成す。そして、この取付アングル２２は接合具２５によって鉄骨柱２１に固定される。この取付アングル２２はそのパネル固定部２４が、建材用ユニットパネル２，３が配置されるべきパネル配置面Ｐに沿う姿勢で鉄骨柱２１に固定される。その後、図５中、矢印で示すように、建材用パネル連結体１をパネル配置面Ｐに接近させ、図６に示すように、取付アングル２２のパネル固定部２４に接触させる。この状態において、建材用パネル連結体１の螺子１５を緩め、取付金具１４を回転させることにより補強アングルを外すと共に、図７に示すように、この取付金具１４と建材用パネル連結体１とで前記取付アングル２２のパネル固定部２４を挟む姿勢にする。
【００２３】
そして、この状態で螺子１５を締め付けることにより、前記取付金具１４と建材用パネル連結体１とで前記取付アングル２２のパネル固定部２４を強く挟むことにより、建材用パネル連結体１は鉄骨柱２１に固定される。その後、作業者が図１に示すボルト４のナットＮを回転して緩め、更に、ボルト４を回転して螺子孔形成部５の螺子孔６から外すことにより、ボルト４を第１、第２の建材用ユニットパネル２，３から取り外す。以降、同様にして、図７中、２点鎖線で示すように、建材用パネル連結体１を鉄骨柱２１に固定することにより、建造物の外壁パネルを形成する。
【００２４】
ところで、一般に、ボルト４のような長尺のものは、その横方向から荷重が加わった場合、撓む等して変形し易いが、この実施形態においては、第１，第２の建材用ユニットパネル２，３の荷重がボルト４の軸方向に作用するようにボルト４を用いるため、ボルト４はこの荷重に充分に耐えることができ、第１、第２の建材用ユニットパネル２，３の連結状態を強固に維持することができる。又、第１の建材用ユニットパネル２と第２の建材用ユニットパネル３との間、並びに、第２の建材用ユニットパネル３、３同士の間には、第２の建材用ユニットパネル３の自重に基づく摩擦が発生する。この実施形態においては、この摩擦を積極的に活用することにより、第１の建材用ユニットパネル２と第２の建材用ユニットパネル３との間、並びに、第２の建材用ユニットパネル３、３同士の間の位置ずれを防止することができる。
【００２５】
尚、以上の実施形態においては、図１に示すように、第１の建材用ユニットパネル２に挿通孔８を形成したが、螺子孔６を有する螺子孔形成部５を第１の建材用ユニットパネル２の上側面２ａの近傍に設ければ、当該挿通孔８を形成する必要がない。
【００２６】
【発明の効果】
以上説明したように本発明によれば、第２の建材用ユニットパネルに形成された挿通孔にボルトを挿通した後、このボルトを第１の建材用ユニットパネルに設けられた螺子孔形成部に螺子止めすることにより、第１の建材用ユニットパネルと第２の建材用ユニットパネルとを連結した建材用パネル連結体を容易に且つ強固に形成できる。このため、この建材用パネル連結体をクレーンのような吊り下げ手段によって建造物の所定位置に運ぶことにより、外壁パネルのようなパネルの組付け作業を効率良く行うことができ、従来技術と比較して、外壁パネルを形成する際の労力及びコストを削減できる。又、前記建材用ユニットパネルとして耐火ユニットパネルを用いれば、耐火パネルを用いた耐火外壁を容易且つ強固に形成できる。
【図面の簡単な説明】
【図１】建材用パネル連結体の構成を示す斜視図である。
【図２】パイプの一部を断面にした側面図である。
【図３】建材用ユニットパネルに補強アングルを取付けた状態を示す建材用ユニットパネルの一部上面図である。
【図４】パネル連結体を吊り下げる状態を示す斜視図である。
【図５】建材用ユニットパネルを鉄骨柱に取付けるべくこの鉄骨柱に接近させた状態を示す上面図である。
【図６】建材用ユニットパネルを鉄骨柱に接触させた状態を示す上面図である。
【図７】建材用ユニットパネルを鉄骨柱に取付けた状態を示す上面図である。
【図８】従来技術による建材パネルの接合具を示す斜視図である。
【符号の説明】
１  建材用パネル連結体、２  第１の建材用ユニットパネル、３  第２の建材用ユニットパネル、４  ボルト、５  螺子孔形成部（パイプ）、６  螺子孔、８，９  挿通孔、１０  螺子部、Ｎ  ナット。
【図１】
2004176359.tif 000003
【図２】
2004176359.tif 000004
【図３】
2004176359.tif 000005
【図４】
2004176359.tif 000006
【図５】
2004176359.tif 000007
【図６】
2004176359.tif 000008
【図７】
2004176359.tif 000009
【図８】
2004176359.tif 000010